(57)【要約】【課題】ＣＴイメージング・システムを使用するスキャンモード数を増加させた検出器アレイを提供する。【解決手段】イメージング・システム（１０）にスキャンモードを送信するに際し、デコーダ（８２）の位置で１バイトの情報が受信されるように、第１のラッチ・レジスタ（８８）に最下位のニブルをロードしかつ第２のラッチ・レジスタ（９０）に最上位のニブルをロードすること。本願発明の他の実施形態において提供されるコンピュータ断層イメージング・システムのアセンブリのための検出器モジュールは、シンチレータ・アレイと、これに光学結合させた複数のフォトダイオードのアレイと、フォトダイオード・アレイと結合しており複数のラッチ・レジスタを含んだデコーダと、デコーダと電気的に接続させシンチレータ・アレイが出力した光を表す信号をＣＴイメージング・システムに送信するように構成させた可撓性ケーブルとを含む。【選択図】　　　図１
2004000580.tif 000002
【特許請求の範囲】
【請求項１】
複数のモジュール（６０）を備えた検出器アレイ（１８）であって、該モジュールの各々は、
複数のシンチレーション素子を備えたシンチレータ・アレイ（６６）と、
前記シンチレータ・アレイと光学結合させた複数のフォトダイオードを備えたフォトダイオード・アレイと、
前記フォトダイオード・アレイと結合させている、複数のラッチ・レジスタ（８６）を備えたデコーダ（８２）と、
前記デコーダ・アセンブリと電気的に接続させている、ｎ本のデータ線（９２）を備えた可撓性ケーブル（８４）と、
を備えている、検出器アレイ（１８）と、
少なくとも１つの放射線源（１４）と、
前記検出器アレイ及び放射線源と結合させているコンピュータ（３６）であって、前記デコーダが２２ｎ種のモードで動作可能となるように前記ｎ本のデータ線を多重化させるように構成したコンピュータ（３６）と、
を備えるコンピュータ断層（ＣＴ）イメージング・システム（１０）。
【請求項２】
前記デコーダ（８２）が２２ｎ種のモードで動作可能となるように前記ｎ本のデータ線（９２）を多重化させるために前記コンピュータ（３６）がさらに、第１のラッチ・レジスタ（８８）及び第２のラッチ・レジスタ（９０）にチップ選択信号を送信した概ね２マイクロ秒後に該第１のラッチ・レジスタ（８８）及び該第２のラッチ・レジスタ（９０）にチップ有効化信号を送信するように構成されている、請求項１に記載のＣＴイメージング・システム（１０）。
【請求項３】
前記デコーダ（８２）が２２ｎ種のモードで動作可能となるように前記ｎ本のデータ線（９２）を多重化させるために前記コンピュータ（３６）がさらに、チップ選択線（９６）をｌｏｗに設定しかつチップ有効化線（９８）をｈｉｇｈに設定して最下位のニブルを前記第１のラッチ・レジスタ（８６）にロードするように構成されている、請求項１に記載のＣＴイメージング・システム（１０）。
【請求項４】
前記デコーダ（８２）が２２ｎ種のモードで動作可能となるように前記ｎ本のデータ線（９２）を多重化させるために前記コンピュータ（３６）がさらに、チップ選択線（９６）をｈｉｇｈに設定してかつチップ有効化線（９８）をｈｉｇｈに設定して最上位のニブルを前記第２のラッチ・レジスタ（９０）にロードするように構成されている、請求項１に記載のＣＴイメージング・システム（１０）。
【請求項５】
前記第１のラッチ・レジスタ（８８）及び前記第２のラッチ・レジスタ（９０）にチップ有効化信号を送信するために前記コンピュータ（３６）がさらに、前記第１のラッチ・レジスタ及び前記第２のラッチ・レジスタにチップ選択信号を送信した概ね２マイクロ秒後に該第１のラッチ・レジスタ及び第２のラッチ・レジスタにチップ有効化信号（９８）を送信するように構成されている、請求項２に記載のＣＴイメージング・システム（１０）。
【発明の詳細な説明】
【０００１】
【発明の属する技術分野】
本発明は、全般的にはコンピュータ断層（ＣＴ）イメージングに関し、さらに詳細には、ＣＴイメージング・システムを使用するスキャンモード数を増加させた検出器アレイの製造に関する。
【０００２】
【発明の背景】
周知のＣＴイメージング・システムの幾つかの構成では、Ｘ線源は、デカルト座標系のＸ−Ｙ平面（一般に「撮像面」と呼ばれる）内に位置するようにコリメートされた扇形状のビームを放出する。Ｘ線ビームは、例えば患者などの撮像対象を透過する。ビームは、この対象によって減衰を受けた後、放射線検出器のアレイ上に入射する。検出器アレイで受け取った減衰した放射線ビームの強度は、対象によるＸ線ビームの減衰に依存する。このアレイの各検出器素子は、それぞれの検出器位置でのビーム減衰の計測値に相当する電気信号を別々に発生させる。すべての検出器からの減衰量計測値を別々に収集し、透過プロフィールが作成される。
【０００３】
周知のＣＴイメージング・システムの構成の幾つかでは、その検出器はシンチレータ・アレイとフォトダイオード・アレイを含んだ複数のモジュールを含む。フォトダイオードは、オペレータにより入力された所望のスライス数及びスライス厚に基づいてフォトダイオード出力の合成を制御する電界効果トランジスタ（ＦＥＴ）などスイッチング・デバイスからなるアレイを含むようなスイッチ装置と結合させている。フォトダイオード出力はフレックス・ケーブル（ｆｌｅｘ　ｃａｂｌｅ）などの接続体を用いてＦＥＴを介してデータ収集システム（ＤＡＳ）に供給する。周知のイメージング・システムの１つは、ＦＥＴと接続させた６本の検出器制御線を含んだフレックス・ケーブルを含んでおり、６４種のスキャンモードをアドレス付けすることができる。より多数の医用モードのアドレス付けをするためには、より多数のスキャンモードが必要となる。
【０００４】
【課題を解決するための手段】
イメージング・システムにスキャンモードを送信するための一方法を提供する。本方法は、第１のラッチ・レジスタに最下位のニブルをロードしかつ第２のラッチ・レジスタに最上位のニブルをロードしてデコーダの位置で１バイトの情報が受信できるようにしている。
【０００５】
イメージング・システムにスキャンモードを送信するための一方法を提供する。本方法は、ｎ本のデータ線を含んだ電気ケーブルをデコーダと接続すること、並びにデコーダが２２ｎ種のモードで動作可能となるようにこのｎ本のデータ線を多重化すること、を含む。
【０００６】
コンピュータ断層イメージング・システムのアセンブリのための検出器モジュールを提供する。本モジュールは、複数のシンチレーション素子を含んだシンチレータ・アレイと、このシンチレータ・アレイと光学結合させた複数のフォトダイオードを含んだフォトダイオード・アレイと、このフォトダイオード・アレイと結合しており複数のラッチ・レジスタを含んだデコーダと、このデコーダ・アセンブリと電気的に接続させシンチレータ・アレイが出力した光を表す信号をＣＴイメージング・システムに送信するように構成させた可撓性ケーブル（ｆｌｅｘｉｂｌｅ　ｃａｂｌｅ）と、を含む。
【０００７】
コンピュータ断層（ＣＴ）イメージング・システムを提供する。本イメージング・システムは、その各々が複数のシンチレーション素子を含んだ１つのシンチレータ・アレイ、このシンチレータ・アレイと光学結合させた複数のフォトダイオードを含んだ１つのフォトダイオード・アレイ、このフォトダイオード・アレイと結合させている複数のラッチ・レジスタを含んだ１つのデコーダ、及びこのデコーダ・アセンブリと電気的に接続させているｎ本のデータ線を含んだ１本の可撓性ケーブル、を含むような複数のモジュールを含んだ検出器アレイと、少なくとも１つの放射線源と、この検出器アレイ及び放射線源と結合させると共にデコーダが２２ｎ種のモードで動作可能となるようにこのｎ本のデータ線を多重化するように構成したコンピュータと、を含んでいる。
【０００８】
イメージング・システムにスキャンモードを送信させるようにコンピュータにより実行可能なプログラムで符号化したコンピュータ読み取り可能媒体を提供する。このプログラムは、デコーダの位置で１バイトの情報が受信されるように、第１のラッチ・レジスタ及び第２のラッチ・レジスタにチップ有効化信号を送信しかつ該第１のラッチ・レジスタ及び該第２のラッチ・レジスタにチップ選択信号を送信するようにコンピュータに指令している。
【０００９】
【発明の実施の形態】
周知のＣＴイメージング・システムの幾つかの構成では、Ｘ線源及び検出器アレイは、Ｘ線ビームが撮像対象を切る角度が一定に変化するようにして、撮像面内でこの対象の周りをガントリと共に回転する。あるガントリ角度で検出器アレイより得られる一群のＸ線減衰量計測値（すなわち、投影データ）のことを「ビュー（ｖｉｅｗ）」という。また、対象の「スキャン・データ（ｓｃａｎ）」は、Ｘ線源と検出器が１回転する間に、様々なガントリ角度、すなわちビュー角度、で得られるビューの集合からなる。
【００１０】
アキシャル・スキャンでは、この投影データを処理し、対象から切り出した２次元スライスに対応する画像を構成させる。投影データの組から画像を再構成するための一方法に、当技術分野においてフィルタ補正逆投影法（ｆｉｌｔｅｒｅｄ　ｂａｃｋ　ｐｒｏｊｅｃｔｉｏｎ）と呼ぶものがある。この処理方法では、スキャンにより得た減衰量計測値を「ＣＴ値」、別名「ハウンスフィールド値」という整数に変換し、これらの整数値を用いて陰極線管ディスプレイ上の対応する画素の輝度を制御する。
【００１１】
全体のスキャン時間を短縮させるため、「ヘリカル（らせん）」スキャンを実行することがある。「ヘリカル」スキャンを実行するには、所定のスライス数に対するデータを収集しながら患者を移動させている。単一スライスＣＴでは、こうしたシステムによってファンビームのヘリカルスキャンを１回行うと、単一のらせんが描かれる。多重スライスＣＴでは、１回のファンビーム・ヘリカルスキャンから複数のらせんが生成される。ファンビームが描いたらせんにより投影データが得られ、これを用いて所定の各スライス位置での画像を再構成することができる。
【００１２】
本明細書で使用する場合、単数形で「ａ」や「ａｎ」の語を前に付けて記載した要素やステップは、これに関する複数の要素またはステップも排除していない（これに関する排除を明示的に記載している場合を除く）と理解すべきである。さらに、本発明の「実施の一形態」に関する言及は、記載した特徴を同様に組み込んでいる追加的な実施形態の存在を排除すると解釈されないようにする意図である。
【００１３】
さらに本明細書で使用する場合、「画像を再構成させる」という言い回しは、本発明に関して画像を表すデータは作成するが観察可能な画像は作成していないような実施形態を排除することを意図したものではない。しかし、多くの実施形態では少なくとも１つの観察可能な画像を作成している（または、作成するように構成している）。
【００１４】
図１及び図２を参照すると、「第３世代」のＣＴイメージング・システムに典型的なガントリ１２を含むものとして、マルチスライス型スキャン・イメージング・システム（例えば、コンピュータ断層（ＣＴ）イメージング・システム１０）を示している。ガントリ１２は、このガントリ１２の対向面上に位置する検出器アレイ１８に向けてＸ線ビーム１６を放出するＸ線源１４を有する。検出器アレイ１８は、投射されて対象（例えば、患者２２）を透過したＸ線を一体となって検知する複数の検出器素子２０を含む複数の検出器横列（図示せず）により形成される。各検出器素子２０は、入射したＸ線ビームの強度、すなわち、Ｘ線ビームが対象または患者２２を透過して受ける減衰、を表す電気信号を発生させる。Ｘ線投影データを収集するためのスキャンの間に、ガントリ１２及びガントリ上に装着されたコンポーネントは回転中心２４の周りを回転する。図２には、検出器素子２０の単一の横列（すなわち、１つの検出器横列）のみを示している。しかし、マルチスライス型検出器アレイ１８は検出器素子２０からなる平行な複数の検出器横列を含んでおり、これにより１回のスキャンの間で準平行または平行な複数のスライスに対応する投影データを同時に収集することができる。
【００１５】
ガントリ１２の回転及びＸ線源１４の動作は、ＣＴシステム１０の制御機構２６により制御される。制御機構２６は、Ｘ線源１４に電力及びタイミング信号を供給するＸ線制御装置２８と、ガントリ１２の回転速度及び位置を制御するガントリ・モータ制御装置３０とを含む。制御機構２６内にはデータ収集システム（ＤＡＳ）３２があり、これによって検出器素子２０からフレックス・ケーブル３３を介して受け取ったアナログ・データをサンプリングし、このデータを後続の処理のためにディジタル信号に変換している。画像再構成装置３４は、サンプリングしディジタル化したＸ線データをＤＡＳ３２から受け取り、高速で画像再構成を行う。再構成した画像はコンピュータ３６に入力として与えられ、コンピュータにより画像は大容量記憶装置３８内に格納される。
【００１６】
コンピュータ３６はまた、キーボードを有するコンソール４０を介して、オペレータからのコマンド及びスキャン・パラメータを受け取る。付属の陰極線管ディスプレイ４２により、オペレータはコンピュータ３６からの再構成画像やその他のデータを観察することができる。コンピュータ３６は、オペレータの発したコマンド及びパラメータを用いて、ＤＡＳ３２、Ｘ線制御装置２８及びガントリ・モータ制御装置３０に対して制御信号や制御情報を提供する。さらにコンピュータ３６は、モータ式テーブル４６を制御してガントリ１２内での患者２２の位置決めをするためのテーブル・モータ制御装置４４を操作している。詳細には、テーブル４６により患者２２の各部分はガントリ開口４８を通過できる。
【００１７】
実施の一形態では、コンピュータ３６は、例えばフレキシブルディスク駆動装置やＣＤ−ＲＯＭ駆動装置など、フレキシブルディスクやＣＤ−ＲＯＭなどコンピュータ読み取り可能な媒体５２から命令及び／またはデータを読み取るためのデバイス５０を含んでいる。別の実施形態では、コンピュータ３６はファームウェア（図示せず）に格納された命令を実行する。コンピュータ３６は本明細書に記載した機能を実行するようにプログラムしている。したがって、本明細書で使用する場合、コンピュータという語は単に当技術分野においてコンピュータと呼ばれるこうした集積回路のみに限定するものではなく、コンピュータ、プロセッサ、マイクロコントローラ、マイクロコンピュータ、プログラム可能論理制御装置、特定用途向け集積回路、並びにその他のプログラム可能な回路を広く指し示している。
【００１８】
図３は、複数のモジュール６０を含んだ検出器アレイ５８の従来技術の図である。図４は、検出器アレイ５８で使用されるモジュール６０の従来技術の図である。イメージング・アレイは、典型的には、シンチレーションを発生させる媒質に結合させたフォトセンサ・アレイを含む。シンチレータで吸収した放射線は光学フォトンを発生させ、一方この光学フォトンはフォトダイオードなどのフォトセンサに送られる。フォトンはフォトセンサで吸収され、入射フォトン・フラックスに対応する電気信号が生成される。フォトセンサの製作には水素化アモルファス・シリコン（ｈｙｄｒｏｇｅｎａｔｅｄ　Ａｍｏｒｐｈｏｕｓ　Ｓｉｌｉｃｏｎ：ａ−Ｓｉ：Ｈ）が使用されるのが普通であるが、これはａ−Ｓｉ：Ｈの有利な光電特性と、こうしたデバイスの製作の相対的な容易さとによる。詳細には、フォトダイオードなどの感光性素子は、薄膜トランジスタ（ＴＦＴ）など必要な制御素子またはスイッチ素子と共に比較的大型のアレイの形に形成させることができる。放射線検出器及びディスプレイのアレイは、典型的には、ＴＦＴ、アドレス線、コンデンサ、フォトセンサなどのデバイスを含む多くの構成要素を、導電性、半導電性及び絶縁性の物質からなる層の堆積及びパターン形成によってその上に形成させているような１つの大きな基材上に製作している。
【００１９】
検出器モジュール６０の各々は、プレート６４によって検出器ハウジング６２に固定させている。モジュール６０の各々は、多次元のシンチレータ・アレイ６６と、高密度の半導体アレイ（図示せず）とを含んでいる。シンチレータ・アレイ６６は、アレイ状に配列させた複数のシンチレーション素子を含み、また半導体アレイは同一のアレイの形に配列させた複数のフォトダイオードを含んでいる。フォトダイオードは基材６８上に堆積させ、すなわち形成させており、またシンチレータ・アレイ６６は基材６８を覆うように配置させると共にこれに固定させている。
【００２０】
フォトダイオード・アレイには、スイッチ／デコーダ装置７０が結合されている。フォトダイオードは、シンチレータ・アレイ６６と光学的に結合させると共に、シンチレータ・アレイ６６によって出力される光を表す信号を伝送するための電気的出力線を含んでいる。詳細には、各フォトダイオードは、シンチレータ・アレイ６６のある特定のシンチレータのビーム減衰測定値にあたる個別の１つの低レベルのアナログ出力信号を発生させる。フォトダイオードの出力線は、半導体アレイ、すなわちフォトダイオード・アレイの裏面から延びており、それぞれのデコーダ７０に接続され（例えば、ワイヤ結合され）ている。
【００２１】
デコーダ７０は、フォトダイオード・アレイと同じ幅サイズの多次元の半導体スイッチ・アレイである。デコーダ７０は、この半導体アレイ及びＤＡＳ３２（図２参照）と電気的に接続されている。デコーダ７０は、多次元アレイとして配列させた複数の電界効果トランジスタ（ＦＥＴ）を含んでいる。ＦＥＴの各々は、それぞれのフォトダイオードの出力線の１本と電気的に接続されている１本の入力線、１本の出力線、及び１本の制御線（図示せず）を含んでいる。ＦＥＴの出力線及び制御線は、可撓性電気ケーブル７２を介してＤＡＳ３２と電気的に接続されている。具体的には、フォトダイオードの出力線のうち約半数がアレイの第１の側で各々のＦＥＴ入力線と電気的に接続されており、またフォトダイオード出力線のうち残りの約半数がアレイの第２の側でＦＥＴ入力線と電気的に接続されている。
【００２２】
図５は、図４に示す検出器モジュール６０の一部分の従来技術の図である。検出器モジュール６０はデコーダ７０及び可撓性電気ケーブル７２を含む。ケーブル７２は、６４種のＦＥＴモードをアドレス付けする、したがって６４種類の動作モードの有効化を容易にするように、デコーダ７０と電気的に接続させた複数のデコーダ制御線７４を含む。図のように、ケーブル７２は６本のデコーダ制御線７４を含んでおり、したがって６４種の動作モード、すなわち（２６＝６４）のアドレス付けが可能である。
【００２３】
図６は、イメージング・システム１０（図１参照）で使用される検出器１８で形成した検出器モジュール８０である。検出器モジュール８０は、デコーダ８２と、複数のデコーダ制御線８５を含んだ可撓性電気ケーブル８４と、を含む。この例示的な実施形態では、可撓性電気ケーブルは６本のデコーダ制御線８５を含む。検出器モジュール８０はさらに、Ｄフリップフロップをベースとしたラッチ・レジスタである第１のラッチ・レジスタ８８及び第２のラッチ・レジスタ９０など（ただし、これらに限らない）複数のラッチ・レジスタ８６を含んでいる。実施の一形態では、第１のラッチ・レジスタ８８と第２のラッチ・レジスタ９０はデコーダ８２と一体に形成させている。別の実施形態では、第１のラッチ・レジスタ８８と第２のラッチ・レジスタ９０はデコーダ８２及びケーブル８４と電気的に接続させた一体の構成要素である。デコーダ制御線８５は、第１のラッチ・レジスタ８８及び第２のラッチ・レジスタ９０と電気的に結合させたｎ本のデータ線９２と２本のラッチ・レジスタ制御線９４を含む。この例示的な実施形態では、デコーダ制御線８５は２２ｎ種のスキャンモードのアドレス付けが可能となるようにｎ＝４本のデータ線９２を含む。デコーダ制御線８５はさらに、第１のラッチ・レジスタ８８及び第２のラッチ・レジスタ９０と電気的に結合させたｍ本のラッチ・レジスタ制御線９４を含む。この例示的な実施形態では、デコーダ制御線８５はｍ＝２本のラッチ・レジスタ制御線９４を含む。実施の一形態では、ラッチ・レジスタ制御線９４はチップ選択線（ＣＳ）９６及びチップ有効化線（Ｅ）９８を含む。第１のラッチ・レジスタ８８と第２のラッチ・レジスタ９０の各々は、デコーダ８２への入力となるそれぞれ４つの出力を含む。
【００２４】
デコーダ８２はＦＥＴの動作を制御し、各々のスライスごとに所望のスライス数及びスライス分解能に従って、フォトダイオードの出力を有効（ｅｎａｂｌｅ）にしたり、無効（ｄｉｓａｂｌｅ）にしたり、あるいは合成したり（ｃｏｍｂｉｎｅ）する。デコーダ８０は、実施の一形態では、デコーダ・チップまたはＦＥＴコントローラであり、ＦＥＴ及びＤＡＳ３２に結合した複数の出力線及び制御線を含んでいる。デコーダ８２の出力は、ＦＥＴを有効にして適正なデータを送信するようにスイッチ装置の制御線と電気的に接続させている。デコーダ制御線７４は、ＦＥＴ制御線と電気的に接続させ、これによりどの出力を有効にするかを決定している。デコーダ８０を利用して、特定のＦＥＴを有効にし、無効にし、あるいはその出力を合成して、ＤＡＳ３２にフォトダイオードの特定の出力が電気的に接続されるようにする。
【００２５】
実施の一形態では、検出器１８は、５７個のモジュール８０を含む。半導体アレイ及びシンチレータ・アレイ６６は、それぞれ概ね１６×１６のアレイ・サイズを有する。このため、検出器１８は、１６行及び９１２列（すなわち、１６×５７個のモジュール）を有し、これにより、ガントリ１２の１回転あたり１６スライス分のデータを同時に収集することが可能となる（図１参照）。また、検出器１８は、多くの様々なスライス厚及びスライス数モード、例えば１スライス・モード、２スライス・モード及び４スライス・モードで動作させることができる。例えば、ＦＥＴは、１行または複数行のフォトダイオード・アレイから８スライス分のデータが収集されるように、８スライス・モードとして構成することができる。デコーダ制御線８５によって規定されるＦＥＴの具体的な構成に応じて、様々な組み合わせのフォトダイオード出力を有効にしたり、無効にしたり、あるいは合成したりして、スライス厚を例えば、１．２５ｍｍ、２．５ｍｍ、３．７５ｍｍまたは５ｍｍにすることができる。追加的な例としては、そのスライスが１．２５ｍｍ厚から２０ｍｍ厚の範囲にある１つのスライスを含む単一スライス・モード、及びそのスライスが１．２５ｍｍ厚から１０ｍｍ厚の範囲にある２つのスライスを含む２スライス・モードがある。勿論、他に多くのモードが可能である。
【００２６】
本明細書に記載した検出器モジュール８０のシステム並びにこれに関連するラッチ式アドレス付けモードは、一例として提供したものであり限定ではない。またラッチ・レジスタの具体的な数及びタイプは、本発明の趣旨及び精神を逸脱することなくスキャンモード要件の具体的数に応じて多様な検出器モジュールにおいて変更または増加させることができることを理解されたい。２つのラッチ・レジスタ、４本のアドレス線、１本の単一のチップ選択線、並びに１本の単一のラッチ有効化線を記載しているが、これは図示を容易にするためであって限定のためではない。
【００２７】
スキャンモードの選択には、（Ａ０〜Ａ３）バスを使用した下位側のニブル（ＦＥＴ０〜ＦＥＴ３）へのロード、並びに（Ａ０〜Ａ３）バスを使用した最上位のニブル（ＦＥＴ４〜ＦＥＴ７）へのロードを含む（ここで、ニブルとは、本明細書で使用する場合、４ビット（すなわち、２分の１バイト）を意味する）。この例示的な実施形態では、デコーダ８２は６本のデコーダ制御線８５を用いて８本のＦＥＴ線をアドレス付けして、２５６種のスキャンモードをアドレス付けすることができる。
【００２８】
使用の際には、チップ選択線９６がｌｏｗに設定され（すなわち、ラッチ・レジスタ８８とラッチ・レジスタ９０のいずれにも信号が送信されず）、かつチップ有効化線９８がｈｉｇｈに設定されている場合、スキャンモード・アドレスの最下位の（ＬＳ）ニブル（ＦＥＴ０〜ＦＥＴ３）がデコーダ８２にロードされる。これは１６進ワード「１Ｘ」（ここで、ＸはモードアドレスＬＳニブルである）に対応する。チップ選択線９６がｈｉｇｈに設定され（すなわち、ラッチ・レジスタ８８及びラッチ・レジスタ９０に信号が送信され）、かつチップ有効化線９８がｈｉｇｈに設定されている場合、スキャンモード・アドレスの１６進のワード３Ｘ（ここで、ＸはモードアドレスＭＳニブルである）に対応する最上位のニブル（ＦＥＴ４〜ＦＥＴ７）がデコーダ８２にロードされる。実施の一形態では、そのラッチ有効化は、モードアドレスのデコーダ入力への転送を容易にするために概ね２マイクロ秒だけ遅延させる。
【００２９】
ＦＥＴチップモード・デコーダ８２をラッチ式レジスタ８６を含むように設計することにより、フレックス・ケーブル、データ収集システム（ＤＡＳ）、接続体及びダイオード・検出器インタフェースを含めＣＴイメージング・システム１０の現在のインタフェース・アーキテクチャを変更することなくより多数のスライスモードを実現することが容易になる。例えば、周知のイメージング・システムの少なくとも１つでは、６４種のモードをアドレスするために６本のデコーダ制御線（ＦＥＴ０〜ＦＥＴ５）を使用している。より多数の医学的用途のアドレス付けのためには、スキャンモード及び組み合わせがより多いことが望ましい。したがって、新たにＦＥＴモードをアドレス付けするには６本を超える数のデコーダ制御線を有する必要がある。この例示的な実施形態では、デコーダ制御線８５のラッチ式多重化を用いたモード選択制御線の減少によって、Ｃｈｉｐ　Ｓｅｌｅｃｔ（チップ選択）とニブルワード幅との兼ね合いによるスケーラブルなモード選択が容易になる。多重化によってさらに、スキャンモードを６４から少なくとも２５６まで増加させる一方、入力されたモードのＬａｔｃｈ　Ｅｎａｂｌｅ（ラッチ有効化）保護を使用することによりモード選択に関する動作電気ノイズ耐性（ｉｍｍｕｎｉｔｙ）の低下が容易になる。
【００３０】
本発明を、様々な具体的な実施形態に関して記載してきたが、当業者であれば本発明は特許請求の範囲の精神及び趣旨内にある修正を伴って実施できることを理解するであろう。
【図面の簡単な説明】
【図１】ＣＴイメージング・システムの外観図である。
【図２】図１に示すシステムのブロック概略図である。
【図３】検出器アレイの従来技術の図である。
【図４】図３の検出器アレイで使用される１つのモジュールの従来技術の図である。
【図５】図４に示すモジュールの一部分の従来技術の図である。
【図６】図１の検出器アレイで使用される１つのモジュールの図である。
【符号の説明】
１０　コンピュータ断層（ＣＴ）イメージング・システム
１２　ガントリ
１４　Ｘ線源
１６　Ｘ線ビーム
１８　検出器アレイ
２０　検出器素子
２２　撮像対象、患者
２４　回転中心
２６　制御機構
２８　Ｘ線制御装置
３０　ガントリ・モータ制御装置
３２　データ収集システム（ＤＡＳ）
３４　画像再構成装置
３６　コンピュータ
３８　大容量記憶装置内
４０　コンソール
４２　陰極線管ディスプレイ
４４　テーブル・モータ制御装置
４６　モータ式テーブル
４８　ガントリ開口
５０　読み取りデバイス
５２　コンピュータ読み取り可能媒体
５８　検出器アレイ
６０　検出器モジュール
６２　検出器ハウジング
６４　プレート
６６　シンチレータ・アレイ
６８　基材
７０　デコーダ
７２　可撓性電気ケーブル
７４　デコーダ制御線
８０　検出器モジュール
８２　デコーダ
８４　可撓性電気ケーブル
８５　デコーダ制御線
８６　ラッチ式レジスタ
８８　第１のラッチ・レジスタ
９０　第２のラッチ・レジスタ
９２　データ線
９４　ラッチ・レジスタ制御線
９６　チップ選択線（ＣＳ）
９８　チップ有効化線（Ｅ）
【図１】
2004000580.tif 000003
【図２】
2004000580.tif 000004
【図３】
2004000580.tif 000005
【図４】
2004000580.tif 000006
【図５】
2004000580.tif 000007
【図６】
2004000580.tif 000008